(57)【要約】【課題】空調機器の消費電力量を計測演算し、目標電力量になるように設定温度の上下限値を設定し快適性を損なわずに電気料金の削減ができる空調用遠隔制御装置を提供する。【解決手段】目標電力入力手段６と優先度入力手段７と消費電力演算手段８の出力をもとに運転時の消費電力の合計が目標電力となるように優先度入力手段７で設定された優先度にしたがって前記空調機器の設定温度の上下限値設定あるいは発停を行う上下限設定手段９を設けたものである。これによって複数台の空調機器の消費電力量を演算し、目標設定された目標電力量になるように空調機器の設定温度の上下限値を信号線を介して遠隔地から調整することができる。【選択図】図１
2006162213.tif 000002
【特許請求の範囲】
【請求項１】
複数台の空調機器の消費電力量を通信線を介して遠隔地から計測する電力計測手段と、計測された電力量を取り込む電力入力手段と、目標電力を入力する目標電力入力手段と、前記空調機器の制御優先度を入力する優先度入力手段と、前記電力計測手段からの電力量を基に空調機器の消費電力量合計を演算する消費電力演算手段と、冷房期間と中間期間と暖房期間を入力できる期間入力手段と、空調機器の運転状態を記憶する運転状態記憶手段と、冷房運転と暖房運転と自動運転とドライ運転を切り換える運転状態切換手段と、複数の空調機器の運転時間を表示する積算時間表示手段とを備えた空調用遠隔制御装置であって、前記目標電力入力手段と前記優先度入力手段と消費電力演算手段の出力をもとに運転時の消費電力の合計が目標電力となるように前記優先度入力手段で設定された優先度にしたがって前記空調機器の設定温度の上下限値設定あるいは発停を上下限設定手段により行うことを特徴とする空調用遠隔制御装置。
【請求項２】
上下限設定手段は、空調機器の冷房運転時およびドライ運転時に下限温度を設定し暖房運転時に上限温度を設定し自動運転時は前記期間入力手段で入力された期間設定に応じて上限温度または下限温度を設定することを特徴とする、請求項１記載の空調用遠隔制御装置。
【請求項３】
上下限設定手段は、前記運転状態記憶手段に記憶された自動運転時における空調機器からの冷房自動信号および暖房自動信号から上限温度または下限温度を設定ことを特徴とする、請求項１記載の空調用遠隔制御装置。
【請求項４】
運転状態切換手段は自動運転時に送風運転に切り換えることを特徴とする、請求項１記載の空調用遠隔制御装置。
【請求項５】
積算時間表示手段は、複数の空調機器の運転積算時間とあらかじめ設定された上限温度および下限温度を超えて空調機器が運転した時間を違反時間として表示することを特徴とする、請求項１記載の空調用遠隔制御装置。
【発明の詳細な説明】
【技術分野】
【０００１】
本発明は機器の空調用遠隔制御装置に関するものである。
【背景技術】
【０００２】
従来、この種の空調用遠隔制御装置では、例えば図６に記載された空調用遠隔制御装置があった。
【０００３】
図６において、複数の検出手段１０１と、監視手段１００と、上下限値設定手段１０２と、監視条件判定手段１０３と、上下限値選択手段１０４を備え、複数の検出手段１０１は冷温水配管や空調機器などの設備機器の計測すべき値を検出し、監視手段１００は各々の検出手段１０１で検出された計測値を予め設定された上下限値と比較して計測値が上下限値を超えたか否かを監視していた（例えば、特許文献１参照）。
【特許文献１】特開平６−２５１２７７号公報
【発明の開示】
【発明が解決しようとする課題】
【０００４】
しかしながら、上記従来の構成では、予め設定された複数の上下限値の中から現状の状態に合致した最適な上下限値を自動的に選択し上下限値の変更操作を行い不要な警報発令を防止することができるが、設備機器の消費電力を削減するための上下限値設定ができず、設備機器の消費電力量を目標値以下に押さえることができないという課題を有していた。
【０００５】
また、自動運転時は冷房運転か暖房運転か判定できず上限温度設定および下限温度設定が効かない課題を有していた。
【０００６】
本発明は、前記従来の課題を解決するもので、複数台の空調機器の消費電力量を演算し、目標設定された目標電力量になるように空調機器の設定温度の上下限値を信号線を介して遠隔地から調整できる空調用遠隔制御装置を提供することを目的とする。
【課題を解決するための手段】
【０００７】
前記従来の課題を解決するために、本発明の空調用遠隔制御装置は、複数台の空調機器の消費電力量を通信線を介して遠隔地から計測する電力計測手段と、計測された電力量を取り込む電力入力手段と、目標電力を入力する目標電力入力手段と、前記空調機器の制御優先度を入力する優先度入力手段と、前記電力計測手段からの電力量を基に空調機器の消費電力量合計を演算する消費電力演算手段と、前記目標電力入力手段と前記優先度入力手段と消費電力演算手段の出力をもとに運転時の消費電力の合計が目標電力となるように前記優先度入力手段で設定された優先度にしたがって前記空調機器の設定温度の上下限値設定あるいは発停を行う上下限設定手段を設けたものである。
【０００８】
これによって複数台の空調機器の消費電力量を演算し、目標設定された目標電力量になるように空調機器の設定温度の上下限値を信号線を介して遠隔地から調整することができる。
【０００９】
また、本発明の空調用遠隔制御装置は、上下限設定手段と、冷房期間と中間期間と暖房期間を入力できる期間入力手段とを設けたものである。
【００１０】
これによって複数の空調機器の冷房運転時およびドライ運転時に下限温度を設定し暖房
運転時に上限温度を設定し自動運転時は前記期間入力手段で入力された設定期間に応じて上限温度または下限温度を設定できる。
【００１１】
また、本発明の空調用遠隔制御装置は、上下限設定手段と、空調機器からの冷房自動信号および暖房自動信号を記憶する運転状態記憶手段を設けたものである。
【００１２】
これによって複数の空調機器の自動運転時において前記運転状態記憶手段で記憶された自動冷房および自動暖房の指示に従い自動暖房時は上限温度を設定し、自動冷房時は下限温度を設定できる。
【００１３】
また、本発明の空調用遠隔制御装置は、運転状態切換手段を設けたものである。
これによって複数の空調機器の自動運転時に送風運転に切り換えることで、自動運転時における設定温度の上下限設定値から外れた場合においても電力消費を削減することができる。
【００１４】
また、本発明の空調用遠隔制御装置は、積算時間表示手段を設けたものである。
これによって、複数の空調機器の運転時の積算時間と上下限温度設定を超過した運転積算時間を違反時間として記録し表示することができる。
【発明の効果】
【００１５】
本発明の空調用遠隔制御装置は、複数台の空調機器の消費電力量を演算し、目標設定された目標電力量になるように空調機器の設定温度の上下限値を信号線を介して遠隔地から上下限設定手段により調整し最大需用電力を低減できるため居住空間の快適性を損なわず電気料金の削減ができる。
【発明を実施するための最良の形態】
【００１６】
第１の発明は、複数台の空調機器の消費電力量を通信線を介して遠隔地から計測する電力計測手段と、計測された電力量を取り込む電力入力手段と、目標電力を入力する目標電力入力手段と、前記空調機器の制御優先度を入力する優先度入力手段と、前記電力計測手段からの電力量を基に空調機器の消費電力量合計を演算する消費電力演算手段と、冷房期間と中間期間と暖房期間を入力できる期間入力手段と、空調機器の運転状態を記憶する運転状態記憶手段と、冷房運転と暖房運転と自動運転とドライ運転を切り換える運転状態切換手段と、複数の空調機器の運転時間を表示する積算時間表示手段と、目標電力入力手段と前記優先度入力手段と消費電力演算手段の出力をもとに運転時の消費電力の合計が目標電力となるように優先度入力手段で設定された優先度にしたがって空調機器の設定温度の上下限値設定あるいは発停制御をおこなう上下限設定手段とを備えることにより、最大需用電力を低減できるため居住空間の快適性を損なわず電気料金の削減ができる。
【００１７】
第２の発明は、特に第１の発明の上下限設定手段において、空調機器の冷房運転時およびドライ運転時に下限温度を設定し暖房運転時に上限温度を設定し自動運転時は期間入力手段で入力された期間設定に応じて暖房期間に設定された場合上限温度設定を行い、冷房期間に設定された場合下限温度を設定することで自動運転時においても上下限温度設定を手動で可能とすることができる。
【００１８】
第３の発明は、特に第１の発明の上下限設定手段において、空調機器からの冷房自動信号および暖房自動信号を記憶する運転状態記憶手段により、複数の空調機器の自動運転時において運転状態記憶手段で記憶された自動冷房または自動暖房の指示に従い自動暖房時は上限温度を設定し、自動冷房時は下限温度を設定することで自動運転時においても上下限温度設定を自動で可能とすることができる。
【００１９】
第４の発明は、特に第１の発明の運転状態切換手段により、複数の空調機器の自動運転が設定された場合に送風運転に切り換えることで、自動運転時における設定温度の上下限設定値から外れた場合においても電力消費を削減することができる。
【００２０】
第５の発明は、特に第１の発明の積算時間表示手段により、複数の空調機器の運転時の積算時間と上下限温度設定を超過した運転積算時間を違反時間として記録し表示することができるため、超過した消費電力量に対する費用請求を容易にすることおよび省エネに対する認識の向上を図ることができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における空調用遠隔制御装置のブロック図を示すものである。
【００２３】
図１において、空調用遠隔制御装置１は、電力計測手段４、電力入力手段５、目標電力入力手段６、優先度入力手段７、消費電力演算手段８、上下限設定手段９から構成されている。
【００２４】
以上のように構成された空調用遠隔制御装置について、以下その動作、作用を説明する。
【００２５】
まず、電力計測手段４は、複数台の空調機器２Ａ、２Ｂ、・・・、２ｎの所定消費電力を通信線３ｂを介して計測する。
【００２６】
電力入力手段５は、電力計測手段４で計測された消費電力データを数値化する（例：１０ｋＷｈ,２０ｋＷｈ・・・１０ｋＷｈ）。
【００２７】
目標電力入力手段６は、月々の基本電気料金に影響のある最大需用電力量を削減するために利用可能な目標電力量（例：１００ｋＷ）を入力する。
【００２８】
消費電力演算手段８は、前記空調機器２の運転状態に応じた消費電力量合計を演算する（例：１２０ｋＷ）。
【００２９】
優先度入力手段８は、空調機器２の優先度を入力する（例：２Ａ＝優先度高、２Ｂ＝優先度低・・・２ｎ＝優先度中）。上下限設定手段９は、運転時の消費電力量合計（例：１２０ｋＷ）が目標電力量（例：１００ｋＷ）になるように前記優先度入力手段７で設定された優先度の高い順に通信線３ａを介して複数の前記空調機器２へ冷房運転時およびドライ運転時は設定温度下限値（例：下限値２８℃以下）を送信し、暖房運転時は設定温度上限値（例：上限値１８℃以上）を送信し所定時間後に目標電力量に達しない場合、運転停止信号を順次送信する。
【００３０】
次に目標電力量を所定時間下回った後、停止させた空調機器の中から優先度の低い順に運転を再開する。以降この動作を繰り返す。
【００３１】
以上のように構成された空調用遠隔制御装置１は、消費電力演算手段８により空調機器２の消費電力合計が目標電力入力手段６により入力された目標電力量になるように優先度入力手段７で順位づけられた優先度に応じて複数台の空調機器２を所定時間毎に順次、設定温度の上下限設定あるいは発停制御するものである。
【００３２】
したがって複数台の空調機器２の消費電力を計測することで消費電力量を目標値以下になるように設定温度の上下限値を決定し、最大需用電力を低減できるため居住空間の快適性を損なわず電気料金の削減ができる。
【００３３】
（実施の形態２）
図２は、本発明の実施の形態２における空調用遠隔制御装置のブロック図である。同図において、図１と同じ構成要素については同じ符号を用い説明を省略する。
【００３４】
図２において、空調用遠隔制御装置１は、電力計測手段４、電力入力手段５、目標電力入力手段６、優先度入力手段７、消費電力演算手段８、上下限設定手段９、期間入力手段１０から構成されている。
【００３５】
まず、期間入力手段１０は、複数の期間を入力でき、例えば、冷房期間（６月１日〜１０月３１日）、暖房期間（１２月１日〜３月３１日）、それ以外は中間期間と入力する。
【００３６】
次に複数の空調機器の冷房運転時およびドライ運転時には下限温度が設定され暖房運転時には上限温度が設定される。次に自動運転時は期間入力手段で入力された設定期間に応じて暖房期間中は上限温度設定され、冷房期間中は下限温度が設定され、中間期間中は送風運転を行う。以降この動作を繰り返す。
【００３７】
以上のように構成された空調用遠隔制御装置１は、自動運転時において期間入力手段１０で設定された冷房期間、暖房期間、中間期間などの複数の期間設定に応じて上下限設定を行うことができる。
【００３８】
したがって、冷房運転または暖房運転の区別がつかない自動運転時において手動で運転状態を選択でき設置現場に合致した空調機器の能力制御が可能となり電気料金の削減ができる。
【００３９】
（実施の形態３）
図３は、本発明の実施の形態３における空調用遠隔制御装置のブロック図である。同図において、図１、図２と同じ構成要素については同じ符号を用い説明を省略する。
【００４０】
図３において、空調用遠隔制御装置１は、電力計測手段４、電力入力手段５、目標電力入力手段６、優先度入力手段７、消費電力演算手段８、上下限設定手段９、期間入力手段１０、運転状態記憶手段１１から構成されている。
【００４１】
以上のように構成された空調用遠隔制御装置について、以下その動作、作用を説明する。
まず、自動運転時において複数の空調機器２からの運転状態を運転状態記憶手段１１に記憶する（例：冷房自動、暖房自動）。
【００４２】
次に記憶された運転状態より、冷房自動運転時には下限温度が設定され暖房自動運転時には上限温度が設定される。以降この動作を繰り返す。
【００４３】
以上のように構成された空調用遠隔制御装置１は、自動運転時において空調機器２の通信信号に含まれる冷房自動、暖房自動により設定温度の上下限設定を行うことができる。
【００４４】
したがって、冷房運転または暖房運転の区別がつかない自動運転時においても自動で空調機器の能力制御が可能となり精度よく電気料金の削減ができる。
【００４５】
（実施の形態４）
図４は、本発明の実施の形態４における空調用遠隔制御装置のブロック図である。同図において、図１から図３と同じ構成要素については同じ符号を用い説明を省略する。
空調用遠隔制御装置１は、電力計測手段４、電力入力手段５、目標電力入力手段６、優先度入力手段７、消費電力演算手段８、上下限設定手段９、期間入力手段１０、運転状態記憶手段１１、運転状態切換手段１２から構成されている。
【００４６】
以上のように構成された空調用遠隔制御装置について、以下その動作、作用を説明する。
【００４７】
まず、複数の空調機器２において自動運転が設定された場合に運転状態切換手段１２により送風運転に自動的に切り換える。
【００４８】
したがって冷房運転または暖房運転の区別がつかない自動運転時の設定温度の上下限設定ができない場合においても空調機器の電力消費を削減することができる。
【００４９】
なお本実施の形態において、ドライ運転時に上下限設定ができない場合においても空調機器の運転を送風運転に切り換え電力消費を削減することができる。
【００５０】
（実施の形態５）
図５は、本発明の実施の形態５における空調用遠隔制御装置のブロック図である。同図において、図１から図４と同じ構成要素については同じ符号を用い説明を省略する。
【００５１】
図５において、空調用遠隔制御装置１は、電力計測手段４、電力入力手段５、目標電力入力手段６、優先度入力手段７、消費電力演算手段８、上下限設定手段９、期間入力手段１０、運転状態記憶手段１１、運転状態切換手段１２、積算時間表示手段から構成されている。
【００５２】
以上のように構成された空調用遠隔制御装置について、以下その動作、作用を説明する。
まず、積算時間表示手段１３において複数の空調機器の運転時の積算時間とあらかじめ決められた暖房時の上限温度（例：１８℃以上）、冷房時の下限温度（例：２８℃以下）を超えて運転した超過時間を運転積算時間の違反時間として記録し表示する。
【００５３】
したがって超過した消費電力量に対する費用請求を容易にすることおよび省エネに対する認識の向上を図ることができる。
【００５４】
なお、本実施の形態において、あらかじめ決められた上限温度、下限温度は変更できるもであってもよい。
【産業上の利用可能性】
【００５５】
以上のように、本発明の空調用遠隔制御装置は、空調機器の消費電力量を目標値以下になるように設定温度の上下限値を決定し具体的に最大需用電力を削減でき、電気料金の低減を快適性を損なわずにできる。
【図面の簡単な説明】
【００５６】
【図１】本発明の実施の形態１における空調用遠隔制御装置のブロック図
【図２】本発明の実施の形態２における空調用遠隔制御装置のブロック図
【図３】本発明の実施の形態３における空調用遠隔制御装置のブロック図
【図４】本発明の実施の形態４における空調用遠隔制御装置のブロック図
【図５】本発明の実施の形態５における空調用遠隔制御装置のブロック図
【図６】従来の空調用遠隔制御装置のブロック図
【符号の説明】
【００５７】
１  空調用遠隔制御装置
２  電力消費機器
３  通信線
４  電力計測手段
５  電力入力手段
６  目標電力入力手段
７  優先度入力手段
８  消費電力演算手段
９  上下限設定手段
１０  期間入力手段
１１  運転状態記憶手段
１２  運転状態切換手段
１３  積算時間表示手段
【図１】
2006162213.tif 000003
【図２】
2006162213.tif 000004
【図３】
2006162213.tif 000005
【図４】
2006162213.tif 000006
【図５】
2006162213.tif 000007
【図６】
2006162213.tif 000008